(57)【特許請求の範囲】
【請求項１】
物質の情報を磁気記憶媒体に記憶させるのに必要な磁力を有する磁石のＮ極とＳ極の対向面間に生成される直線磁場のＮ極寄りに、病原体、生体にとっての異物、抗原等又はこれらの情報を記憶させた磁気記憶媒体を配置するとともに、前記直線磁場の外側に生成される湾曲磁場に磁気記憶媒体を置いた後、前記湾曲磁場の媒体又はこの媒体を含む物質を取出して人以外の生物又は生物の飼育環境下に投与することを特徴とする人体を除く生物の疾病予防・治療方法
【請求項２】
物質の情報を磁気記憶媒体に記憶させるのに必要な磁力を有する磁石のＮ極とＳ極の対向面間に生成される直線磁場のＮ極寄りに、活性化された白血球その他の細胞、抗体、生体防御機能増強剤又はこれらの情報を記憶させた磁気記憶媒体などの物体を置くとともに、これら物体よりもＳ極寄りの前記直線磁場に磁気記憶媒体を置いた後、前記直線磁場のＳ極寄りに置いた前記媒体又はこの媒体を含む物質を取出して人以外の生物又は生物の飼育環境下に投与することを特徴とする人体を除く生物の疾病予防・治療方法
【請求項３】
請求項１記載の前記湾曲磁場に置いた前記媒体又はこの媒体を含む物質と、請求項２記載の前記直線磁場のＳ極寄りに置いた前記媒体又はこの媒体を含む物質を、人以外の生物又は生物の飼育環境下に同時に投与することを特徴とする人体を除く生物の疾病予防・治療方法
【請求項４】
前記直線磁場のＮ極寄りに置く磁気記憶媒体が、酸化鉄フイルム、又はコバルトを被着した酸化鉄フイルムと；ネオジウム、鉄を主材とする永久磁石を希塩酸で溶解し、その飽和溶液に対して、ゲルマン酸ジラクチル２乳酸ナトリウム１％溶液を１０容量％の比率で混和し、これを１２０℃以下で乾燥・結晶させてその結晶体を着磁したのち粉砕し、その粉末の水溶液を浸潤又は塗布して乾燥させたシートと；を貼りあわせてなり、前記湾曲磁場又は前記直線磁場Ｓ極寄りに置く磁気記憶媒体が、ネオジウム、鉄、硼酸を主材とする永久磁石を希塩酸で溶解した溶液に、これと等量のゲルマン酸ジラクチル２乳酸ナトリウム１％溶液を混和し、この混合液を１２０℃以下で乾燥・結晶させてその結晶体を着磁したのち粉砕した粉末の１％水溶液であることを特徴とする請求項１、２、３記載の人体を除く生物の疾病予防・治療方法
【請求項５】
酸化鉄フイルム、又はコバルトを被着した酸化鉄フイルムと；ネオジウム、鉄を主材とする永久磁石を希塩酸で溶解した飽和溶液に対して、ゲルマン酸ジラクチル２乳酸ナトリウム１％溶液を１０容量％の比率で混和し、これを１２０℃以下で乾燥・結晶させてその結晶体を着磁したのち粉砕し、その粉末の水溶液を浸潤させて乾燥したシートと；を貼りあわせてなることを特徴とする生命体の情報記憶用磁気記憶媒体
【請求項６】
ネオジウム、鉄、硼酸を主材とする永久磁石を希塩酸で溶解した溶液に、これと等量のゲルマン酸ジラクチル２乳酸ナトリウム１％溶液を混和し、この混合液を１２０℃以下で乾燥・結晶させてその結晶体を着磁したのち粉砕した粉末の１％水溶液であることを特徴とする生命体の情報記憶用磁気記憶媒体水
【請求項７】
物質の情報を磁気記憶媒体に記憶させるのに必要な磁力を有する磁石のＮ極とＳ極の対向面間に生成される直線磁場のＮ極寄りに、病原体、生体にとっての異物、抗原等又はこれらの情報を記憶させた磁気記憶媒体を配置するとともに、前記直線磁場の外側に生成される湾曲磁場に、情報記憶用磁気記憶媒体水を置き、この磁気記憶媒体水をセラミック材料に混合して乾燥・焼成してなる情報記憶済みセラミックス体
【請求項８】
物質の情報を磁気記憶媒体に記憶させるのに必要な磁力を有する磁石のＮ極とＳ極の対向面間に生成される直線磁場Ｎ極寄りに、活性化された白血球その他の細胞、抗体、生体防御機能増強剤又はこれらの情報を記憶させた磁気記憶媒体などの物体を置くとともに、これら物体よりもＳ極寄りの前記直線磁場に情報記憶用磁気記憶媒体水を置き、この磁気記憶媒体水をセラミック材料に混合して乾燥・焼成してなる情報記憶済みセラミックス体
【請求項９】
物質の情報を磁気記憶媒体に記憶させるのに必要な磁力を有する磁石のＮ極とＳ極の対向面間に生成される直線磁場のＮ極寄りに、病原体、生体にとっての異物、抗原等又はこれらの情報を記憶させた磁気記憶媒体を配置するとともに、前記直線磁場の外側の湾曲磁場に置いた情報記憶用磁気記憶媒体水を、抗体又は抗体の情報を記憶させた磁気記憶媒体などの物体を置いた直線磁場のＳ極寄りに置いた後、セラミック材料に混合して乾燥・焼成してなる情報記憶済みセラミックス体
【発明の詳細な説明】
【０００１】
【産業上の利用分野】
本発明は磁気を通して得た抗原や抗体からの情報により生体の疾病を治療し、活性を促す生物の疾病予防・治療方法及びこの方法に使用する情報記憶媒体並びに情報記憶済みセラミック体に関する。
【０００２】
【従来の技術】
近年、魚介甲殻類の増養殖が発展するに伴って、ウイルス性並びに細菌性疾病が多発し甚大な被害をもたらしている。ウイルス病については、とくにマダイ、イシダイ、カンパチ、ブリなどのイリドウイルス感染症及びエビ類のバキュロウイルス感染症による大きな経済的被害が世界的にみられているが、治療薬は未だに開発されていない。細菌性感染症については、類結節症、ビブリオ感染症、エドワジラ感染症などによる経済的被害が大きい。これらの細菌性疾病の治療薬として、多種の抗生物質及び合成抗菌剤が用いられているが、近年、抗生物質にたいして耐性菌が出現し、充分な治療効果が得られない状態にある。また、使用した薬剤の魚介甲殻類の体内残留による公衆衛生上の問題が生じていることから、化学療法に依存しない防疫対策が強く望まれている。
【０００３】
一方、魚介甲殻類の免疫機能を増強させて被害を軽減しようとする技術がすでに知られており、一部実用化している。免疫機能増強剤として、ビフィズス菌由来のペプチドグルカンやキノコ由来のβ−１、３−グルカンなどの多糖類があり、開発が進められている。しかし、これらは薬剤を直接生物に投与するものであるから、その都度薬剤が消費されてしまい、コストが高くつく。また、薬剤の直接投与は充分な予防・治療効果が得られないだけでなく、乱用や誤用による弊害も少なくない。
【０００４】
【発明が解決しようとする課題】
前述したように、魚介甲殻類の養殖において多くの疾病が発生し、それによる被害額は我が国だけで２５０億円にも及んでいる。単に経済的な被害にとどまらず、長年かかって積み上げてきた種苗生産、配合飼料、飼育管理や養殖施設機材などの養殖技術をもとにした健全経営が疾病により根底から大きく揺らぎ、産業の存続すら危ぶまれている昨今である。この背景には、薬剤の乱用誤用による耐性菌の出現、新しいウイルスの多発に追いつけない化学薬剤やワクチンの開発、環境悪化や高密度生産によるストレスの負荷及び免疫機能低下が挙げられる。
【０００５】
魚介甲殻類の増殖面においても、枯渇した資源の回復をめざした国策として栽培漁業や海洋牧場の諸事業が推進されている。しかしながら、この事業の根幹をなす人工孵化大量生産種苗、放流用稚仔が放流前にウイルスや細菌に感染するケースがここ数年来多発している。大量放流用稚仔のごく一部であっても感染が認められれば、感染の生体検査と識別が機能的に困難であることからその全体を放流することはできず廃棄処分することになる。事後の管理が可能な養殖と比べ、増殖では管理不能であり、疫病を自然界に放流することは許されないからである。
【０００６】
従って、本発明の第１の目的は、薬剤やワクチンの直接投与を一切行わずに、生物の抗原活性を低下させ、免疫機能を増進させることにより、生物、特に、魚介甲殻類を健全且つ安全に飼育する生体の疾病予防・治療方法を提供することにある。
【０００７】
本発明の第２の目的は、上記の疾病予防・治療方法に使用する情報記憶用の磁気記憶媒体及び磁化水を提供することにある。
【０００８】
本発明の第３の目的は、上記の疾病予防・治療方法に使用する情報記憶済み媒体のセラミックス体を提供することにある。
【０００８】
【課題を解決するための手段】
上記第１の目的を達成するために、本発明による第１の疾病予防・治療方法は、物質の情報を磁気記憶媒体に記憶させるのに必要な磁力を有する磁石のＮ極とＳ極の対向面間に生成される直線磁場のＮ極寄りに、病原体、生体にとっての異物、抗原等又はこれらの情報を記憶させた磁気記憶媒体を配置するとともに、前記直線磁場の外側に生成される湾曲磁場に磁気記憶媒体を置いた後、前記湾曲磁場の媒体又はこの媒体を含む物質を取出して人以外の生物又は生物の飼育環境下に投与することを特徴とする。
【０００９】
本発明による第２の疾病予防・治療方法は、物質の情報を磁気記憶媒体に記憶させるのに必要な磁力を有する磁石のＮ極とＳ極の対向面間に生成される直線磁場のＮ極寄りに、活性化された白血球その他の細胞、抗体、生体防御機能増強剤、又はこれらの情報を記憶させた磁気記憶媒体などの物体を置くとともに、これら物体よりもＳ極寄りの前記直線磁場に磁気記憶媒体を置いた後、前記直線磁場のＳ極寄りに置いた前記媒体又はこの媒体を含む物質を取出して人以外の生物又は生物の飼育環境下に投与することを特徴とする。
【００１０】
本発明による第３の疾病予防・治療方法は、上記二つの方法を併用して行うことを特徴とする。
【００１１】
上記疾病予防・治療方法に使用する情報記憶用磁気記憶媒体は、酸化鉄フイルム、又はコバルトを被着した酸化鉄フイルムと；ネオジウム、鉄を主材とする永久磁石を希塩酸で溶解した飽和溶液に対して、ゲルマン酸ジラクチル２乳酸ナトリウム１％溶液を１０容量％の比率で混和し、これを１２０℃以下で乾燥・結晶させてその結晶体を着磁したのち粉砕し、その粉末の水溶液を浸潤させて乾燥したシートと；を貼りあわせたものが好ましい。
【００１２】
また、上記疾病予防・治療方法に使用する情報記憶用磁気記憶媒体は、ネオジウム、鉄、硼酸を主材とする永久磁石を希塩酸で溶解した溶液に、これと等量のゲルマン酸ジラクチル２乳酸ナトリウム１％溶液を混和し、この混合液を１２０℃以下で乾燥・結晶させてその結晶体を着磁したのち粉砕した粉末の１％水溶液である情報記憶用磁気記憶媒体水が好ましい。
【００１３】
上記情報記憶済みの磁気記憶媒体水等の媒体は、これをそのまま人以外の生物又は生物の環境下に投与して使用してもよいが、水で希釈し、あるいは、陶磁材料に混練し、乾燥・焼成したセラミックス体にして使用してもよい。
【００１４】
【発明の実施の形態】
以下、本発明の実施形態を添付図面に基づいて説明する。
元素、化合物、生命体、抗原、抗体などの物質は、それぞれ固有の波長波形を持っている。従って、これらの物質の情報を磁気記憶媒体に記憶（転写）させ、再現することができれば、多様な有益目的に利用できる、という着想の下に種々の実験を重ね本発明をなすに至ったものである。
【００１５】
この発明のために、先ず、強力な磁気を用いて、物質の情報を磁気記憶媒体に記憶させるために、図１のような磁気装置を用意した。
この装置は、Ｎ極とＳ極を所定間隔を隔てて対向させた馬蹄形磁石などの永久磁石１を使用するもので、磁石１のＮ極とＳ極の対向面間にＮ極からＳ極に向けて磁力線がまっすぐに向かう直線磁場２が生成される。
また、前記直線磁場２の外側にはＮ極からＳ極に向けて磁力線が湾曲して向かう湾曲磁場３が生成される。
【００１６】
上記図１の装置を用いて種々の実験を行った。
先ず、実験１として、ウイルスに感染させたエビなどの水産生物を直線磁場２のＮ極寄りに置き、Ｓ極寄りに磁気記憶媒体としての磁気記憶媒体水を置く。約６０秒後にこの磁気記憶媒体水（記憶水）を取り出してウイルス感染エビの飼育水に入れると、通常の飼育水中のウイルス感染エビよりも早期に死滅した。
【００１７】
他方、実験２として、生体防御（免疫）増強剤で生体防御機能を増強させたエビの血液から採取した血球を直線磁場２のＮ極寄りに置くとともに、この直線磁場２のＳ極寄りに磁気記憶媒体としての磁気記憶媒体水を置き、約６０秒後にこの磁気記憶媒体水（記憶水）を取り出してウイルス感染エビの飼育水にいれると、通常の飼育水中の正常エビと同等の生存率を示した。
【００１８】
このことは、直線磁場２のＮ極寄りに抗原や抗体を置き、Ｓ極寄りに磁気記憶媒体を置くと、その抗原や抗体が持っている固有の情報が磁気記憶媒体に正転写として記憶され、また記憶媒体に記憶された情報は、飼育槽において再現され、飼育槽内のエビに作用しているものと考えられる。
【００１９】
ところが、前記実験１に関連する実験３として、ウイルスに感染させたエビなどの水産生物を直線磁場２のＮ極寄りに置くとともに、磁石１の前記直線磁場２の外側に生成される湾曲磁場３に、磁気記憶媒体を約６０秒間置いた後、この媒体をウイルス感染エビの飼育水に入れると、実験２と同様に、通常の飼育水中の正常エビと同等の生存率を示した。
【００２０】
また、直線磁場２のＮ極寄りに生命体の抗原やこの抗原の情報を記憶した記憶媒体のみを置き、前記と同様に湾曲磁場３に磁気記憶媒体を置き、この記憶媒体をウイルス感染エビの飼育水に入れた場合にも実験２と同様に、正常エビと同等の生存率を示した。
【００２１】
このことは、直線磁場２のＮ極寄りに生命体の抗原又は抗原の情報を記憶させた磁気記憶媒体を置き、前記直線磁場２の外側の湾曲磁場３に磁気記憶媒体を置くと、湾曲磁場３に置いた磁気記憶媒体水などの媒体に、前記抗原に対抗する情報（以下、逆情報と云う）が逆転写として記憶され、すなわち、抗ウイルス機能を持った情報として記憶され、エビの飼育環境下に再現されたものと考えられる。
【００２２】
次に、本発明の実施形態を例示する。
第１の実施形態は、図２のように、直線磁場２のＮ極寄りにウイルスなどの病原体、病原体を持つ生命体、又はこれらの情報を記憶させた磁気記憶媒体（以下、抗原４という）を置くとともに、前記湾曲磁場３に磁気記憶媒体５を約６０秒間置く。こうすることにより、湾曲磁場３の媒体５に抗原４の情報が逆転写され、媒体５は抗原４に対して対抗力のある情報を持った物質になる。
かくして、この物質を生物の飼料等に混ぜて投与し、あるいは、セラミックスに含有させて飼育水槽に投入し、あるいは、飼育水槽の飼育水として利用することにより、生物の前記病原体による疾病が予防され、治癒される。
【００２３】
上記の実施形態において、直線磁場２のＮ極寄りに置く抗原は、抗原そのものを使用するよりも、その抗原の情報を記憶させた磁気記憶媒体を使用するのがより好ましい。その理由は，抗原は一般に有害物であり、直接扱わずに記憶媒体の形で使用するのが安全だからである。
このような情報を記憶させた磁気記憶媒体は、図３に示すように直線磁場２のＮ極寄りにウイルスや病原体などのなまの抗原４ａを置き、そのＳ極側に磁気記憶媒体４ｂを置くことによって生成することができる。すなわち、直線磁場２においてなまの抗原４ａの情報が磁気記憶媒体４ｂに正転写され、なまの抗原４ａの情報を記憶させた磁気記憶媒体４ｂが得られる。
【００２４】
本発明の第２の実施形態は、図４に示すように、磁石１の前記直線磁場２のＮ極寄りに、生体防御機能増強剤又は生体防御機能を増強させた生体組織、もしくはこれらの物質の情報を記憶させた磁気記憶媒体などの物体（以下、抗体６という）を置くとともに、これら抗体６よりもＳ極寄りの前記直線磁場２に置いた磁気記憶媒体５を約１０〜６０秒間置いておく。しかるのち、この媒体５を前記と同様の方法で人以外の生物又は生物の飼育環境下に投与するものである。
すなわち、この実施形態は、生体防御機能増強の情報を直線磁場２において磁気記憶媒体に正転写するものである。
【００２５】
この場合も、直線磁場２のＮ極寄りに生体防御機能増強剤又は生体防御機能を増強させた生体組織などの抗体６自体を直接置いてもよいが、好ましくは、抗体６の情報を正転写で記憶させた磁気記憶媒体を置いてもよい。この磁気記憶媒体図３と同じ要領で、磁気装置の前記直線磁場２のＮ極寄りに抗体６を置き、Ｓ極寄りに磁気記憶媒体を置くことによって得られ、約６０秒間で磁気記憶媒体は抗体６の情報を記憶した磁気記憶媒体になる。
【００２６】
図１乃至図４の磁石装置は本発明の方法に使用される好ましい一例を示すもので、これに限定されるものではない。例えば、図５のように、左右一対の磁石１ａ、１ｂを、相互のＮ極とＳ極が所定間隔を離して対向するように配置し、相対するＮ極とＳ極の対向面間に直線磁場２が生成され、この直線磁場２の外側にこの直線磁場２に沿った湾曲磁場３が生成されるようにした磁石装置を使用することもできる。
【００２７】
図５の磁石装置は、さらに、各々の磁石１ａ、１ｂのＮ極からＳ極に向かう曲線磁場７が生成されるとともに、磁石１ａのＮ極から磁石１ｂのＳ極に向かう曲線磁場３が生成されるが、前記逆転写のための媒体５を置く領域は磁石１ａのＮ極から磁石１ｂのＳ極に向かう湾曲磁場３である。
なお、図５の装置は上記の直線磁場２、湾曲磁場３、外側曲線磁場８を枠９で区画してある。
【００２８】
図５の装置を使用する場合は、直線磁場２の記憶済みの媒体を取り出すときは、外側曲線磁場８の影響をうけないように磁石１ａ、１ｂを取り外す必要がある。また、同様の理由で、抗原４の情報を逆転写させた湾曲磁場３の媒体を取り出すには、磁石１ａ、１ｂ、を取り外すか、湾曲磁場３の磁力線方向の逆方向から取り出す必要がある。
【００２９】
本発明の方法に使用する前記情報記憶用磁気記憶媒体は、酸化鉄フイルム、又はコバルトを被着した酸化鉄フイルムと；ネオジウム、鉄を主材とする永久磁石を希塩酸で溶解し、その飽和溶液に対して、ゲルマン酸ジラクチル２乳酸ナトリウム１％溶液を１０容量％の比率で混和し、これを１２０℃以下で乾燥・結晶させてその結晶体を着磁したのち粉砕し、その粉末の水溶液を浸潤又は塗布して乾燥させたシートと；を貼りあわせたものが好ましい。
【００３０】
本発明の方法に使用する前記情報記憶用磁気記憶媒体水は、ネオジウム、鉄、硼酸を主材とする永久磁石を希塩酸で溶解した溶液に、これと等量のゲルマン酸ジラクチル２乳酸ナトリウム１％溶液を混和し、この混合液を１２０℃以下で乾燥・結晶させてその結晶体を着磁したのち粉砕した粉末の１％水溶液が好ましい。
【００３１】
抗原４を逆情報を逆転写で記憶させた前記媒体５及び／又は抗体６を正転写で記憶させた前記媒体５はそのまま人以外の生物又は生物の環境下に投与してもよいが、セラミック材料に混練し、乾燥・焼成したセラミックス体にしたものを水を介して生物の環境下に投与してもよい。
この場合のセラミックス体には下記の形態がある。
【００３２】
第１の形態は、磁石１のＮ極とＳ極の対向面間に生成される直線磁場２のＮ極寄りに、抗原４等又は抗原等の情報を記憶させた磁気記憶媒体を配置するとともに、前記直線磁場２の外側に生成される湾曲磁場３に、媒体５としての情報記憶用磁気記憶媒体水を置き、この磁気記憶媒体水をセラミック材料に混合して乾燥・焼成してなるセラミックス体である。
このセラミックス体は抗原４の逆情報を記憶しているセラミックス体である。
【００３３】
第２の形態は、磁石１のＮ極とＳ極の対向面間に生成される直線磁場２Ｎ極寄りに、抗体６等又は抗体等の情報を記憶させた磁気記憶媒体などの物体を置くとともに、これら物体よりもＳ極寄りの前記直線磁場２に，媒体５としての情報記憶用磁気記憶媒体水を置き、この磁気記憶媒体水をセラミック材料に混合して乾燥・焼成してなるセラミックス体である。
このセラミックス体は抗体６の正情報を記憶しているセラミックス体である。
【００３４】
第３の形態は、磁石１のＮ極とＳ極の対向面間に生成される直線磁場２のＮ極寄りに、抗原４又は抗原の情報を記憶させた磁気記憶媒体を配置するとともに、前記直線磁場２の外側に生成される湾曲磁場３に、媒体５としての情報記憶用磁気記憶媒体水を置き、この磁気記憶媒体水を取りだして、さらに、抗体６又は抗体の情報を記憶させた磁気記憶媒体などの物体を置いた直線磁場２のＳ極寄りに置いた後、セラミック材料に混合して乾燥・焼成してなるセラミックス体である。
このセラミックス体は抗原４の逆情報と抗体６の正情報を記憶しているセラミックス体である。
【００３５】
以下に本発明の実施例を挙げる。
なお、ここに挙げる実験例（実施例１〜６）はいずれも委託試験研究として国立水産大学校生物生産学科防疫学教室の高橋幸則教授により実施されたものである。
【００３６】
（実施例１）バキュロウイルス逆情報によるバキュロウイルスの活性制御作用−１
試験方法
約１０日程予備飼育した平均体重約１２．５ｇの健全クルマエビ約３００尾から、一部を除きバキュロウイルスを強制感染処理をおこなった。この処理、非処理エビからストレスなどによる活性異常のエビ除去の選別をおこない、３０尾づつの下記５つの試験区を編成し、約２００リットルの各水槽に収容した。
本発明試験区の３群は、バキュロウイルスの情報波動を湾曲磁場４で逆転写した記憶水を使用しもので、
第１試験区はバキュロウイルス逆転写記憶水（逆転水）を飼育槽の飼育水に使用した群
第２試験区はバキュロウイルス逆転写記憶水（逆転水）を噴霧処理した配合飼料ペレットを投与した群
第３試験区は逆転写記憶水で作成したセラミックを用いて処理した飼育水を使用した群
第４試験区はバキュロウイルスを強制感染させた対照群
第５試験区は無処理の健全エビの対照群
である。
【００３７】
強制感染方法は、本病によって斃死した体重約１０ｇのクルマエビ３尾の頭胸部の甲皮を剥がしたのち、４０ｍｌの滅菌海水中でホモジナイズし、遠心分離（１０，０００×ｇ、１０分間、４℃）によって得られた上澄み１ｍｌを２，０００ｍｌの海水に加える比率で環境感染液を調整した。この中に予備飼育中のエビを２時間浸漬して強制感染させた。逆転写記憶水は、この上澄み液を装置の前記直線磁場２のＮ極寄りに置き、磁石１の湾曲線磁場３に記憶水を配置して作成した。
各区の群編成後、飼育水温２２℃のバキュロウイルス活性温度に保ちつつ、１０日間の飼育を行い、摂餌状況、斃死状況を観察した。斃死エビについてはＰＣＲ法及び病理学的検査を行ってバキュロウイルスによる斃死であることを確認した。
【００３８】
試験結果：本発明試験区及び対照区におけるバキュロウイルスによる強制感染後のクルマエビの累積斃死尾数、累積斃死率と各日朝の残餌率を表１に示した。
【表１】
0004183800.tif 000002
【００３９】
表１から明らかなように、バキュロウイルス強制感染後、感染処理群の対照区（第４試験区）のエビは１０日以内に壊滅的な斃死をみたのに対し、本発明試験区の斃死率は３０〜４０％であり、これらの間に有意な差がみられた（ｐ＜０．０５）。また、無処理の対照区（健全エビ）の斃死率が２７％程度であり試験区と有意な差がみられなかった（ｐ＜０．０５）。すなわち、強制感染群も、本発明の３種の処理によってバキュロウイルスによる急性ウイルス血症を制御し、健全エビとほぼ同じ生残を示したものである。
なお、無処理の対照区（健全エビ）が２７％程度斃死したのは予備水槽から試験水槽への移槽によるストレス及び狭い試験水槽のストレスによるものである。
この試験から、クルマエビ体内に侵入したバキュロウイルスが、環境飼育水からバキュロウイルスの活性逆情報と思われる情報を受け、またはバキュロウイルスの活性逆情報と思われる情報を経口的に受け、その活性が低下したことが判明した。しかも、従来の薬剤を使用せずに、情報のみでバキュロウイルスの活性が制御されるという事実が明らかになった。
【００４０】
（実施例２）バキュロウイルス逆情報によるバキュロウイルスの活性制御作用−２
試験方法：平均体重１１．５ｇのエビを用い、実施例１と同じ処理を行い下記の５つの試験区を設定した。
第１試験区はバキュロウイルス逆転写記憶水（逆転水）を飼育槽の飼育水に使用した群
第２試験区は逆転写記憶水で作成したセラミックを用いて処理した飼育水を使用し、且つ、バキュロウイルス逆転写記憶水（逆転水）を噴霧処理の配合飼料ベレットを投与した群
第３試験区は直線磁場２にバキュロウイルス記憶済みの磁気記憶媒体を配置し、湾曲磁場３の水を飼育水槽にパイプを介してが常時循環通過させる群
第４試験区はバキュロウイルスを強制感染させた対照群
第５試験区は無処理の健全エビの対照群である。
【００４１】
試験結果：本発明試験区及び対照区におけるバキュロウイルス強制感染後のクルマエビの累積斃死尾数、累積斃死率と各日朝の残餌率を表２に示した。
【表２】
0004183800.tif 000003
【００４２】
表２から明らかなように、バキュロウイルス強制感染後、感染処理対照区は９日で１００％斃死したのに対し、本発明による試験区３区ともに３５％程度であり、対照区との間に有意な差がみられた（ｐ＜０．０１）。試験区３の結果から、磁化記憶水を使用しなくても、飼育環境水に常時逆転処理を行えばバキュロウイルスの活性を制御できることがわかった。この処理速度は飼育水量１回転／１２時間以上である。また、非感染の無処理対照区と本発明試験区との斃死率に有意差はみられなかった。
【００４３】
（実施例３）生体防御機能向上情報によるバキュロウイルス活性の制御作用
試験方法：平均体重約１２．０ｇのエビを用い、実施例１と全く同様な処理を行い下記の５つの試験区を設置した。
対照区の２つの区は前記と同様に強制感染処理群との未処理健全群である。
本発明の３つの試験区はバキュロウイルスの逆情報ではなく、生体防御機能向上させる抗体の正情報を利用する区である。あらかじめ、１０数尾を別途飼育し、ペプチドグリカン（ＰＧ）を適正量、適正期間投与する。この処置によりエビの生体防御機能が増強することが既に確認されている。本試験では、これらのエビ数尾から血液を採取し、遠心分離処理液から磁気装置を用いて記憶水ならびに磁気記憶媒体に転写した。
第１試験区はこの記憶水を噴霧処理した飼料ペレットをクルマエビに投与した群
第２試験区はこの記憶水を用いて作成したセラミックを水槽に浸漬して飼育環境水を処理した群
第３試験区は血液の情報を記憶させた磁気記憶媒体をいったん逆転再転写して新たな磁気記憶媒体を作り、それを磁気装置の直線磁場Ｎ極側に配置して、湾曲磁場４の水を飼育水槽にパイプを介してが常時循環通過させる群。このパイプを通過した飼育環境水は生体防御機能増強の血液情報（正）→逆転（負）→再逆転（正）となる。
第４試験区はバキュロウイルスを強制感染させた対照群
第５試験区は無処理の健全エビの対照群である。
【００４４】
試験結果：本発明試験区及び対照区におけるバキュロウイルス強制感染後のクルマエビの累積斃死尾数、累積斃死率と各日朝の残餌率を表３に示した。
【表３】
0004183800.tif 000004
【００４５】
表３に示すように、無処理対照区は１０日後の斃死率が３６．７％にとどまったのに対し、強制感染対照区は９６．７％が斃死した。一方、餌に生体防御情報記憶水を噴霧処理した試験区１、同記憶水を用いて作成したセラミックにて飼育水を処理した試験区２、及び、装置を用いて常時飼育水を循環させた試験区３の斃死率は各々４０．０％、３３．３％、及び３３．３％であり、強制感染対照区と有意な差が認められた（ｐ＜０．０５）。
同時に無処理対照区とほぼ同率の斃死率であった。
【００４６】
（実施例４）バキュロウイルス逆情報と生体防御機能正情報併用によるバキュロウイルス活性制御作用−その１
試験方法：平均体重約１２．５ｇのエビを用い、実施例１と全く同じ処理を行い５つの試験区を設定した。
本発明試験区は第１試験区〜第４試験区の４つの区で、いずれも、バキュロウイルスの情報を逆転写した記憶媒体と生体防御機能を増強させた血液からその情報を記憶させた記憶媒体を併用した区である。対照区は強制感染処理区のみである。
第１試験区はバキュロウイルス逆情報と生体防御情報の両者を記憶させた記憶水でペレットに噴霧添加処理し給餌する群
第２試験区は第１試験区と同じ２種の情報の記憶水で作成したセラミックを用い、飼育環境水を処理する群
第３試験区は第１試験区と第２試験区の併用区である。
第４試験区は飼育環境水を、２種の情報の記憶媒体を設置した磁気装置に常時循環通過させて、バキュロウイルス逆情報と生体防御情報を飼育環境水に投与する群である。
第５試験区はバキュロウイルスを強制感染させた対照群
【００４７】
試験結果：本発明試験区及び対照区におけるバキュロウイルス感染後の累積斃死尾数、累積斃死率及び残餌率（各朝）を表４に示した。
【表４】
0004183800.tif 000005
【００４８】
表４に示すように、バキュロウイルス強制感染後、対照区は１０日後には９０％以上が斃死した。これに対し、ウイルス性と生体防御の２情報を与えられた餌区とセラミック区はほぼ３０％の斃死率、餌とセラミック併用区では２０％以下の斃死となった。さらに、２情報を磁気装置を使用して飼育環境水を処理した区は１５％以下の斃死率となった。試験区はすべて、対照区と比べ斃死率において有意な差が認められた（ｐ＜０．０５）。
【００４９】
（実施例５）バキュロウイルス逆情報と生体防御機能増強正情報併用によるバキュロウイルス活性制御作用−その２
試験方法：平均体重約１４．０ｇのエビを用い、実施例１と同様の処理を行い５つの試験区を設定した。第１試験区〜第４試験区は本発明２よる試験区であり、対照区は強制感染処理区のみである。
第１試験区はバキュロウイルスの逆情報と生体防御機能増強正情報を併用して作成したセラミックを飼育環境水に使用すると同時に、この両情報記憶水でペレット処理し投与する群（実施例４の試験区３と同じ）
第２試験区はバキュロウイルス逆情報と生体防御機能増強正情報を記憶した磁気記憶媒体とパイプを磁気装置に設置し、常時外気を送りこんで、飼育環境水を曝気する区である。
第３試験区は第２試験区の変形で、送気パイプの中間に水箱をおきその箱の水を曝気した後の空気を飼育環境水に送気して再曝気する区である。なお、この水箱には情報記憶用磁気記憶媒体水を使用した。
第４試験区は第１試験区と第３試験区の併用、すなわち餌処理、セラミックによる飼育環境水処理及び情報記憶用磁気記憶媒体水経由の曝気による飼育環境水処理を行う区である。
【００５０】
試験結果：本発明試験区及び対照区におけるバキュロウイルス感染後の累積斃死尾数、累積斃死率及び残餌率（各朝）を表５に示した。
【表５】
0004183800.tif 000006
【００５１】
表５に示すように、バキュロウイルス強制感染後、感染対照区は１０日以内に９０％以上が斃死したのに対し、餌処理とセラミックによる飼育環境水処理を併用した第１試験区では２０％の斃死率であった。曝気により飼育環境水を処理した第２試験区では２５％以下の斃死率であった。さらに、送気パイプの中間に人工生体水を設置した第３試験区では１０％の斃死率であった。また、餌、セラミック及び情報記憶用磁化水使用の曝気を併用した４試験区では１５％以下の斃死率であった。これら本発明試験区のすべてが対照区と比べ、斃死率において有意な差がみられた（ｐ＜０．０５）。
【００５２】
（実施例６）生体防御機能増強剤情報によるバキュロウイルスの活性制御作用
試験方法：平均体重約１３．０ｇのエビを用い、実施例１と全く同様な処理を行い下記の５つの試験区を設定した。対照区は強制感染処理群と未処理健全群の２区である。第１試験区〜第３試験区は本発明の試験区であり、いずれも、生体防御機能増強剤ペプチドグリカンの情報を直接正転写で記憶させたものを利用する区である。また、対照区は強制感染処理群と未処理健全群の２区である。
第１試験区は磁気装置、磁気記憶媒体及び磁気記憶水を使用してペプチドグリカン情報転写液を調整し、それをもってペレットを処理し投与する区
第２試験区はペプチドグリカン情報記憶液を用いてセラミックスを作成し、それを使用して飼育環境水を処理する区
第３試験区はペプチドグリカン情報記憶済みの磁気記憶媒体を配置した磁気装置にパイプを設置し外気を人口生体水通過後飼育環境水に通気する区である。
第４試験区はバキュロウイルスを強制感染させた対照群
第５試験区は無処理の健全エビの対照群である。
【００５３】
試験結果：本発明試験区及び対照区におけるバキュロウイルス感染後の累積斃死尾数、累積斃死率及び残餌率（各朝）を表６に示した。
【表６】
0004183800.tif 000007
【００５４】
表６に示すように、バキュロウイルス強制感染対照区は９日後に全滅した。無処理健全区は３０％が斃死しその間に有意な差がみられた。試験区は何れも５０％程度の斃死率となり感染対照区と有意な差がみられたが、無処理健全区とは有意な差がみられなかった。
【００５５】
上記の説明では主としてエビの養殖におけるバキュロウイルス感染症に本発明を応用した実施例を示したが、本発明はこれに限定されるものではなく、ブリのイリドウイルス感染症及び連鎖球菌症、ヒラメのヘルペスウイルス感染症、アユのシュードモナス病及び冷水症、アワビのウイルス性筋萎縮症、ブタのマイコプラズマ症（ＳＥＰ）、オーエスキー病、生殖器、呼吸器症候群、ニワトリの大腸菌症、マイコプラズマ症（ＣＤＲ）などの予防や種々の生物のいろいろな疾病の治療に広く応用することができるものである。
【００５６】
【効果】
本発明はウイルス等の病原体（抗原）の活性を抑制するための、抗原の逆情報波動、並びに、生物の免疫機能を増強させる抗体の正情報波動を利用して疾病を予防し、治療するので化学薬剤の直接投与を一切用いずに生物を健全に育成することができる。従って、化学薬剤の使用による公衆衛生上の問題が解消される。
【００５７】
また、実験例から明らかなように、ウイルスに強制感染させ、放置しておけば数日で１００％死滅してしまう生物群が、本発明の方法によれば感染していない生物群と同等の生存率を示すところから、その疾病予防・治療効果は絶大であり、これまでに例を見ないものである。
従って、生物、特に魚介甲殻類の養殖において、著しい経済効果がもたらされる。
【００５８】
抗原や抗体の情報波動を記憶させた磁気記憶媒体を使用する場合は、有害な抗原を直接扱う必要がないので安全であり、また、記憶済みの磁気記憶媒体を反復して使用できるので効率がよい。
【図面の簡単な説明】
【図１】  本発明の方法に使用される磁気装置の概略構成図
【図２】  本発明の方法の実施例を示す概略図
【図３】  抗原の情報を記憶させた磁気記憶媒体の生成工程説明図
【図４】  本発明の方法の他の実施例を示す概略図
【図５】  本発明の方法に使用される他の磁気装置の概略構成図
【符号の説明】
１、１ａ、１ｂ…磁石
２…直線磁場
３…湾曲磁場
４、４ａ…抗原
４ｂ…抗原の情報を記憶させた磁気記憶媒体
５…媒体
６…抗体
７…曲線磁場
８…外側曲線磁場
９…枠
【図１】
0004183800.tif 000008
【図２】
0004183800.tif 000009
【図３】
0004183800.tif 000010
【図４】
0004183800.tif 000011
【図５】
0004183800.tif 000012